(57)【要約】【課題】ロフト角の小さいクラブはより飛距離を伸ばし、ロフト角の大きいクラブはよりバックスピン量を増大することが可能なゴルフクラブセット、及びこれに含まれるゴルフクラブを提供する。【解決手段】本発明に係るゴルフクラブセットは、ロフト角が異なる複数のゴルフクラブにより構成されたゴルフクラブセットであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記複数のゴルフクラブのうち、少なくとも一組の、前記ロフト角の異なるゴルフクラブにおいて、前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長い。【選択図】図５
2019013459.tif 000002
【特許請求の範囲】
【請求項１】
ロフト角が異なる複数のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記複数のゴルフクラブのうち、少なくとも一組の、前記ロフト角の異なるゴルフクラブにおいて、
前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長い、ゴルフクラブセット。
【請求項２】
前記ロフト角が大きいゴルフクラブのゴルフクラブヘッドは、前記ロフト角が小さいゴルフクラブのゴルフクラブヘッドよりも、体積が大きい、請求項１に記載の、ゴルフクラブセット。
【請求項３】
前記複数のゴルフクラブは、基準状態における、フェース−バック方向の最もフェース側の点と最もバック側の点との間の長さが同じである、請求項１または２に記載の、ゴルフクラブセット。
【請求項４】
前記ゴルフクラブヘッドは、中空のウッド型である、請求項１から３のいずれかに記載のゴルフクラブセット。
【請求項５】
前記ゴルフクラブヘッドのロフト角は、１６〜３５度である、請求項１から４のいずれかに記載のゴルフクラブセット。
【請求項６】
ロフト角が異なる複数のゴルフクラブにより構成されたゴルフクラブセットに含まれるゴルフクラブであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記複数のゴルフクラブのうち、少なくとも一組の、前記ロフト角の異なるゴルフクラブにおいて、
前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長い、ゴルフクラブ。
【発明の詳細な説明】
【技術分野】
【０００１】
本発明は、ゴルフクラブセット及びゴルフクラブに関する。
【背景技術】
【０００２】
ゴルフクラブセットは、一般的に、ロフト角の異なる複数のクラブが含まれている（例えば、特許文献１）。そのうち、ロフト角の小さいクラブは、飛距離を伸ばすときに用いられる。一方、ロフト角の大きいクラブは、グリーンまでの距離が短いショットに用いられ、グリーン上の狭いエリアを狙う機会が多い。そのため、ロフト角の大きいクラブでは、ボールをグリーン上に止めるためにバックスピン量を多くするのが有効である。
【先行技術文献】
【特許文献】
【０００３】
【特許文献１】特開２０１２−６１０３５号公報
【発明の概要】
【発明が解決しようとする課題】
【０００４】
しかしながら、従来のゴルフクラブセットに含まれるゴルフクラブでは、このようなロフト角の大小に起因する性能が十分とはいえず、さらなる改良が望まれていた。本発明は、この問題を解決するためになされたものであり、ロフト角の小さいクラブはより飛距離を伸ばし、ロフト角の大きいクラブはよりバックスピン量を増大することが可能なゴルフクラブセット、及びこれに含まれるゴルフクラブを提供することを目的とする。
【課題を解決するための手段】
【０００５】
本発明に係るゴルフクラブセットは、ロフト角が異なる複数のゴルフクラブにより構成されたゴルフクラブセットであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記複数のゴルフクラブのうち、少なくとも一組の、前記ロフト角の異なるゴルフクラブにおいて、前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長い。
【０００６】
上記ゴルフクラブセットにおいて、前記ロフト角が大きいゴルフクラブのゴルフクラブヘッドは、前記ロフト角が小さいゴルフクラブのゴルフクラブヘッドよりも、体積を大きくすることができる。
【０００７】
上記各ゴルフクラブセットにおいて、前記複数のゴルフクラブは、基準状態における、フェース−バック方向の最もフェース側の点と最もバック側の点との間の長さを同じにすることができる。なお、長さが同じであるとは、完全な同一のみならず、例えば、２ｍｍ以内程度の多少のずれは許容される。
【０００８】
上記各ゴルフクラブセットにおいて、前記ゴルフクラブヘッドは、中空のウッド型とすることができる。
【０００９】
上記各ゴルフクラブセットにおいて、前記ゴルフクラブヘッドのロフト角は、１６〜３５度とすることができる。
【００１０】
本発明に係るゴルフクラブは、ロフト角が異なる複数のゴルフクラブにより構成されたゴルフクラブセットに含まれるゴルフクラブであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記複数のゴルフクラブのうち、少なくとも一組の、前記ロフト角の異なるゴルフクラブにおいて、前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長い。
【発明の効果】
【００１１】
本発明によれば、ロフト角の小さいクラブはより飛距離を伸ばし、ロフト角の大きいクラブはよりバックスピン量を増大することができる。
【図面の簡単な説明】
【００１２】
【図１】本実施形態に係るゴルフクラブヘッドの基準状態の斜視図である。
【図２】図１の平面図である。
【図３】図２のＡ−Ａ線断面図である。
【図４Ａ】フェース部の境界を説明する図である。
【図４Ｂ】フェース部の境界を説明する図である。
【図５】ゴルフクラブセットに含まれるロフト角の異なるゴルフクラブの側面図である。
【図６】図５から抜き出した３番ユーティリティと６番ユーティリティの側面図である。
【発明を実施するための形態】
【００１３】
以下、本発明に係るゴルフクラブセットの一実施形態について、図面を参照しつつ説明する。本実施形態に係るゴルフクラブセットを構成するゴルフクラブは、ユーティリティ型（ハイブリッド型ともいう）のゴルフクラブであり、例えば、クラブ長が３６〜４２インチ、ロフト角が１５〜３５°の範囲にある２〜６番ユーティリティである。そして、後述するように、各クラブは、主として、ロフト角、ヘッドの高さ（ヘッド厚）などが相違している。以下では、まず、ゴルフクラブの１つを例に取り、共通の構造を概説した後、ゴルフクラブセットにおける、各ゴルフクラブの相違点について、詳細に説明する。
【００１４】
＜１．ゴルフクラブヘッドの概要＞
まず、本実施形態に係るゴルフクラブセットのうちの１つのゴルフクラブ（例えば、ユーティリティ型ゴルフクラブ）を例に取り、そのゴルフクラブヘッドについて説明する。図１は本実施形態に係るゴルフクラブセットのうちの１つのゴルフクラブヘッドの基準状態の斜視図、図２は図１の平面図、図３は図２のＡ−Ａ線断面図である。なお、ゴルフクラブヘッドの基準状態については、後述する。
【００１５】
図１〜図３に示すように、このゴルフクラブヘッド（以下、単に「ヘッド」ということがある）１０は、内部空間を有する中空構造であり、フェース部１、クラウン部２、ソール部３、及びホーゼル部４によって壁面が形成されたユーティリティ型のゴルフクラブヘッドである。
【００１６】
フェース部１は、ボールを打球する面であるフェース面を有しており、クラウン部２はフェース部１と隣接し、ヘッド１０の上面を構成する。ソール部３は、主としてヘッド１０の底面を構成し、フェース部１とクラウン部２以外のヘッド１０の外周面を構成する。すなわち、ヘッド１０の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１７】
ここで、ゴルフクラブヘッド１０を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００１８】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００１９】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１０の重心の真上から見たときの輪郭が境界となる。
【００２０】
また、ヘッド１０は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２１】
また、このゴルフクラブヘッド１０の体積は、例えば、９０ｃｍ3以上、４６０ｃｍ3以下が望ましい。
【００２２】
＜２．ゴルフクラブヘッドの組立構造＞
本実施形態に係るゴルフクラブヘッド１０は、図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１０のクラウン部２及びソール部３の一部として機能する。
【００２３】
したがって、フェース用部材１０２の周縁部１５がヘッド本体１０１に取付けられることで一体的に形成される面が、ヘッド１０のクラウン部２及びソール部３を構成する。そのため、厳密には、ヘッド本体１０１のクラウン部２及びソール部３は、ヘッド１０のクラウン部２及びソール部３の一部ではあるが、本明細書では、これらを区別することなく、ヘッド本体１０１の各部も、単にクラウン部２、ソール部３と称することがある。
【００２４】
＜３．クラウン部の構造＞
続いて、クラウン部２について説明する。図１〜図３に示すように、クラウン部２は、フェース部１側に配置される隆起部２１と、隆起部２１よりもバック側に配置される基部２２とを備えている。隆起部２１は、主として、フェース部１に沿ってトゥ−ヒール方向に延びる帯状の領域である。一方、基部２２は、隆起部２１よりも低い位置でクラウン部２の大半を占める領域であり、その周縁はソール部３と接している。そして、隆起部２１と基部２２との境界には段差を構成する傾斜面２３が形成されている。これにより、隆起部２１と基部２２との段差の分だけ、フェース部１の上下方向の高さが高くなっている。
【００２５】
この傾斜面２３は、フェース部１側にいくにしたがって、上方に延びるように構成されている。これにより、ゴルフクラブヘッド１００を基準状態で設置したとき、上方から傾斜面２３を視認することができる。すなわち、アドレスに入ったゴルファーから視認可能となっている。そして、傾斜面２３は、隆起部２１に沿って形成されているため、隆起部２１と同様に、平面視において帯状に形成されている。
【００２６】
図３に示すように、隆起部２１のフェース−バック方向の幅Ｄは、例えば、平面視において、５〜２５ｍｍとすることが好ましく、７〜２０ｍｍとすることがさらに好ましい。
【００２７】
また、傾斜面２３の平面視におけるフェース−バック方向の幅Ｌは、例えば、１〜９ｍｍとすることが好ましく、２〜７ｍｍであることがさらに好ましい。さらに、傾斜面２３の高さＨは、例えば、０．５〜８ｍｍとすることが好ましく、０．５〜６ｍｍとすることがさらに好ましく、０．５〜５ｍｍとすることが特に好ましい。
【００２８】
＜４．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、このとき用いるフェース用部材１０２の加工前の平板は、圧延方向が、フェース部１のトゥ側の上部からヒール側の下部に向かう方向とほぼ一致するように加工される。
【００２９】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３０】
なお、本実施形態に係るヘッドは、少なくともソール部３を有するヘッド本体と、他の部分を組み合わせることで構成される。例えば、フェース部１のみを別部材で構成してヘッド本体に取り付けることでヘッドを構成したり、あるいはクラウン部２に開口を設けたヘッド本体を形成し、この開口を別部材で塞ぐことでヘッドを構成することもできる。
【００３１】
＜５．ゴルフクラブセットにおけるゴルフクラブ間の相違点＞
続いて、図５も参照しつつ、ゴルフクラブセットにおけるロフト角の異なるクラブ間の相違点について説明する。図５は、基準状態にある複数のゴルフクラブヘッドの側面図である。なお、図５では、一例として、本実施形態に係るゴルフクラブセットのうち、番手が隣接する４つのゴルフクラブのヘッドを示しており、ロフト角が小さい順に、３番ユーティリティ（Ｕ＃３）、４番ユーティリティ（Ｕ＃４）、５番ユーティリティ（Ｕ＃５）、及び６番ユーティリティ（Ｕ＃６）が、左から右へこの順で並んでいる。なお、図５においては、これらゴルフクラブ間の相違について、発明の特徴を明確にするため、各ヘッドをやや誇張して記載している。したがって、図５は、後述する表１などに示す実際の角度、形状などとは相違するが、これによって発明の本質が変わるものではない。なお、以下の説明でヘッドの寸法の説明をするときには、特に断りのない限り、基準状態での寸法を指すこととする。
【００３２】
図５に示すように、本実施形態に係るゴルフクラブセットでは、各ゴルフクラブヘッドにおけるフェース−バック方向の最もフェース側の点と最もバック側の点との間の長さＬ（以下、ヘッド幅と称する）が同じである。具体的には、ヘッド幅Ｗは、例えば、５０〜８０ｍｍの範囲に設定することができる。但し、ホーゼル部４を除く、ヘッドの高さが相違する。より詳細に説明すると、ヘッド１０を水平面Ｈに配置したときのヘッド１０の最下点、つまり水平面Ｈから、ヘッド１０の最上点までの高さＢ（以下、ヘッド厚と称する）について、ロフト角の大きいクラブほど、ヘッド厚Ｂが大きくなっている。また、ヘッド厚Ｂの変化に連動して、フェース面の面方向の長さＡも、ロフト角の大きいクラブほど大きくなっている。さらに、ヘッド１０の体積についても、概ねロフト角の大きいクラブほど、大きくなっている。一例として、これら４つのクラブにおける上記各寸法等を表１に示す。但し、以下の表１はあくまでも一例であり、適宜変更することができる。なお、重心高さは、ヘッドの重心の水平面Ｈからの高さであり、ＳＳ高さは、ヘッドのＳＳ点（スイートスポット）の水平面Ｈからの高さである。
【表１】
2019013459.tif 000003
【００３３】
＜６．特徴＞
以上の実施形態によれば、次の効果を得ることができる。
【００３４】
(1) 図６は、対比のため、図５から３番ユーティリティ（Ｕ＃３）及び６番ユーティリティ（Ｕ＃６）に係るヘッドを抜き出して示したものである。同図によれば、ロフト角の大きいクラブであるＵ＃６の方が、ロフト角の小さいクラブであるＵ＃３に比べ、ＳＳ点がより高くなる。すなわち、Ｕ＃６は、Ｕ＃３に比べロフト角が大きいため、元々幾何学的にＳＳ点が高いが、上記のように、ヘッド厚Ｂが大きいため、重心Ｇが上がり、ＳＳ点がさらに高くなる。
【００３５】
そのため、ボール８０を打球したときには、打点ＫがＳＳ点から離れたＵ＃６の方が、重心周りにＺ方向（上下方向）に回転しやすくなる。これによって、いわゆるギア効果が大きくなり、ＳＰ方向の回転であるバックスピン量を増大させることができる。したがって、グリーンまでの距離が短いショットに用いられるロフト角の大きいクラブほど、バックスピン量をより増大することができる。なお、上記のような１６〜３５度のロフト角を有するユーティリティ型のクラブは、地面に直接置かれたボールを打球することが多いため、幾何学的に打点ＫがＳＳ点よりも下になりやすい。
【００３６】
一方、Ｕ＃３では、ロフト角が小さいことに加え、ヘッド厚が小さくなっているため、重心Ｇが下がり、ＳＳ点がさらに低くなる。そのため、ＳＳ点とボール８０の打点Ｋとの距離が短くなり、インパクト時におけるヘッドの重心Ｇ周りのＺ方向の回転が小さくなる。その結果、打球の打出し角の低下を抑制できるとともに、ＳＳ点が打点に近くなることでギア効果が小さくなり、ＳＰ方向の回転であるバックスピン量が小さくなる。
【００３７】
したがって、ロフト角の小さいクラブでは、打球の打出し角の低下を抑制するとともにバックスピン量を小さくすることで、ボールの飛距離を向上させることができる。また、ロフト角の小さいクラブの方が距離の長いショットに使用されるため、このような効果は特に有効であり、ボールの飛距離をより伸ばすことができる。
【００３８】
このように、本実施形態に係るゴルフクラブセットでは、ロフト角の小さいクラブほど、より飛距離を伸ばすことができ、ロフト角の大きいクラブほど、よりバックスピン量を増大することができる。
【００３９】
(2) Ｕ＃６のようなロフト角の大きいクラブほど、ヘッド厚Ｂが大きいため、ヘッドの上下方向の慣性モーメントが大きくなる。そのため、インパクト時のヘッドの上下方向の回転方向へのぶれが小さくなり、打球の打ち出し角度が安定する。その結果、ボールの飛距離を安定させることができる。特に、ロフト角の大きいクラブは、クラブ長が短くスイング時のヘッドの回転半径が小さいため、ロフト角の小さいクラブに比べてヘッドが芝面に対してより鋭角に進入しつつボールとのインパクトを迎える。そのため、フェース面上の打点が上下方向にばらつき易く、インパクト時にヘッドが上下回転方向にぶれ易くなるが、本実施形態によれば、ロフト角の大きいクラブであっても、ぶれが小さくなり、ボールの飛距離を安定させることができる。
【００４０】
(3)ロフト角の大きいクラブほど、ヘッドの体積が概ね大きくなるため、上下方向の慣性モーメントが大きくなる。その結果、上記(2)で示した効果を得ることができる。
【００４１】
(4) 本実施形態に係るゴルフクラブセットでは、すべてのゴルフクラブのヘッド幅Ｗを一定にしている。すなわち、ロフト角の大小にかかわらず、すべてのクラブにおいて、ヘッド幅Ｗが同じである。これにより、次の効果を得ることができる。まず、幾何学的にＳＳ点を高くするためには、重心Ｇをよりバック側に配置すること、つまり重心深度を大きくするという方法がある。しかし、ユーティリティはラフでも使用する機会が多いため、ヘッド幅Ｗを大きくすると、ソール部３のフェース−バック方向の長さも長くなり、ソール部３と地面との抵抗が大きくなる。そこで、本実施形態では、上記のように、ロフト角が大きくなるほど、ヘッド厚を大きくすることでＳＳ点を高くしつつ、ロフト角が大きくなっても、ヘッド幅Ｗを一定にすることで、スイング時の抵抗を小さくしている。
【００４２】
(5) クラウン部２において、隆起部２１が基部２２よりも、傾斜面２３を介して高く形成されているため、隆起部２１が高くなった分だけ、フェース部１の高さを高くすることができる。そのため、フェース部１における反発性能を向上することができる。また、クラウン部２においては、隆起部２１のみが高く形成され、クラウン部２の大半を占める基部２２は隆起部２１よりも低い位置に形成されているため、ヘッドの重心を低くすることができる。
【００４３】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４４】
＜７．１＞
上記実施形態では、ロフト角が大きいクラブほど、ヘッド厚が大きくなるように設定されているが、ゴルフクラブセットの中で、必ずしもすべての隣接する番手のゴルフクラブで、このような関係を充足していなくてもよい。すなわち、ゴルフクラブセットの中の、いずれかのロフト角の大きいクラブとロフト角の小さいクラブにおいて、このような関係が充足されていればよい。したがって、例えば、Ｕ＃３〜Ｕ＃６のクラブにおいて、ヘッド厚Ｂの関係を（Ｕ＃３＜Ｕ＃４＝Ｕ＃５＜Ｕ＃６）としたり、あるいは（Ｕ＃３＜Ｕ＃４＜Ｕ＃５＝Ｕ＃６）とすることができる。
【００４５】
＜７．２＞
上記実施形態では、ロフト角が大きいクラブほど、ヘッド１０の体積が概ね大きくなっているが、ロフト角が大きくなるにしたがって、完全にヘッド１０の体積が大きくなっていなくてもよい。例えば、上記実施形態のように、Ｕ＃３〜Ｕ＃５は、この順でヘッド１０の体積が大きくなっているが、Ｕ＃６はＵ＃５よりも小さく、Ｕ＃４よりも大きくなるように設定してもよい。
【００４６】
＜７．３＞
上記実施形態では、すべてのクラブで、ヘッド幅が一定であるが、必ずしも一定にしなくてもよく、異なるようにすることもできる。
【００４７】
＜７．４＞
上記実施形態に係るヘッドのクラウン部２は、隆起部２１を有しているが、隆起部２１の形状は特には限定されない。また、隆起部２１のないクラウン部２であってもよい。
【００４８】
＜７．５＞
また、本発明に係るゴルフクラブセットとは、同種のゴルフクラブを含むゴルフクラブセットを意味し、１つのゴルフクラブセットには、上記のようなユーティリティ型のゴルフクラブのみが含まれる。そして、本発明に係るゴルフクラブセットは、ユーティリティ型のゴルフクラブのほか、例えば、ドライバーやフェアウェイウッドなどのウッド型のような中空のヘッドを有するゴルフクラブによって構成することもできる。
【符号の説明】
【００４９】
１  フェース部
２  クラウン部
３  ソール部
【図１】
2019013459.tif 000004
【図２】
2019013459.tif 000005
【図３】
2019013459.tif 000006
【図４Ａ】
2019013459.tif 000007
【図４Ｂ】
2019013459.tif 000008
【図５】
2019013459.tif 000009
【図６】
2019013459.tif 000010
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
ロフト角が異なる複数のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
打球を行なうフェース面を有するフェース部と、
ソール部と、
前記シャフトが取り付けられるホーゼル部と、を備え、
前記複数のゴルフクラブのうち、少なくとも一組の、前記ロフト角の異なるゴルフクラブにおいて、
前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長く、且つスイートスポット（重心から前記フェース面への垂線と当該フェース面との交点）が高い、ゴルフクラブセット。
【請求項２】
ロフト角が異なる複数のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記複数のゴルフクラブのうち、少なくとも一組の、前記ロフト角の異なるゴルフクラブにおいて、
前記ロフト角が大きい前記ゴルフクラブのゴルフクラブヘッドは、前記ロフト角が小さい前記ゴルフクラブのゴルフクラブヘッドよりも、基準状態において、前記ホーゼル部を除くゴルフクラブヘッドの最下点から最上点までの長さが長く、
前記ロフト角が大きいゴルフクラブのゴルフクラブヘッドは、前記ロフト角が小さいゴルフクラブのゴルフクラブヘッドよりも、体積が大きい、ゴルフクラブセット。
【請求項３】
前記複数のゴルフクラブは、基準状態における、フェース−バック方向の最もフェース側の点と最もバック側の点との間の長さが同じである、請求項１または２に記載の、ゴルフクラブセット。
【請求項４】
前記ゴルフクラブヘッドは、中空のウッド型である、請求項１から３のいずれかに記載のゴルフクラブセット。
【請求項５】
前記ゴルフクラブヘッドのロフト角は、１６〜３５度である、請求項１から４のいずれかに記載のゴルフクラブセット。